(57)【要約】【課題】転倒を防止できるとともに、ガーデニングの自由度を飛躍的に高めることのできる、ガーデニング装置を提供する。【解決手段】ガーデニング装置１０は、支柱２０と、一端が支柱２０に連結され、床面１６に対して略平行に配設される支持棒２２と、支持棒２２に対して荷重を付与する重量部材２４とを備えており、支柱２０の下端が床面１６に当接され、かつ、支柱２０の上端が天井面１８に当接される。したがって、支柱２０は、床面１６と天井面１８との間で突張力によって支持されることになり、また、支持棒２２に付与される重量部材２４の荷重によっても支持されることになる。【選択図】図１
2007244272.tif 000002
【特許請求の範囲】
【請求項１】
下端が床面に当接され、かつ、上端が天井面に当接されることによって前記床面と前記天井面との間に立設され、ガーデニング用品が取り付けられる支柱、
一端が前記支柱に連結され、前記床面に対して略平行に配設される支持棒、および
前記支持棒に対して荷重を付与する重量部材を備えることを特徴とする、ガーデニング装置。
【請求項２】
前記重量部材は、水を溜める貯水部を有しており、前記貯水部の底部には、前記支持棒を通す溝が設けられていることを特徴とする、請求項１記載のガーデニング装置。
【請求項３】
前記重量部材は、前記床面を覆う床板部を有しており、前記床板部の下面には、前記支持棒に接合される接合部が設けられていることを特徴とする、請求項１記載のガーデニング装置。
【発明の詳細な説明】
【技術分野】
【０００１】
本発明は、マンションのベランダ等を緑化するのに用いられる、ガーデニング装置に関する。
【背景技術】
【０００２】
近年では、ヒートアイランド現象や地球温暖化現象が社会問題となっており、その対策として、ビルの屋上やマンションのベランダ等を緑化することが行われている。また、趣味のガーデニングの分野においては、「マンション等のベランダでガーデニングを楽しみたい。」との要望が根強く存在する。
【０００３】
しかし、マンション等のベランダは「共有部分」であり、避難通路を確保したり、景観を保全したりする必要があることから、個人の自由な設計で構造物を構築することは許されない場合が多い。たとえば、ガーデニング用品（植木鉢やプランター等）や、これを支持する支柱等をベランダの床面、天井面および壁面等にビス等の固定部材で固定することは、一般に認められていない。
【０００４】
そこで、従来では、特許文献１に示すような「植木鉢スタンド」をベランダに設置し、この「植木鉢スタンド」に植木鉢等のガーデニング用品を取り付けることによって、ベランダにおけるガーデニングの自由度を高めることが行われていた。
【特許文献１】実開平６−１９４２６号
【発明の開示】
【発明が解決しようとする課題】
【０００５】
従来の植木鉢スタンド（特許文献１）によれば、植木鉢を支柱に取り付けるようにしているので、植木鉢を立体的に配置することが可能となり、ガーデニングの自由度を或る程度高めることができる。しかし、この植木鉢スタンドでは、支柱の下端部を台座に埋め込むことによって支柱を立設させていたに過ぎないため、安定性が悪く、風によって転倒する恐れがあった。
【０００６】
それゆえに、本発明の主たる課題は、転倒を防止できるとともに、ガーデニングの自由度を飛躍的に高めることのできる、ガーデニング装置を提供することである。
【課題を解決するための手段】
【０００７】
請求項１に記載した発明は、「下端が床面１６に当接され、かつ、上端が天井面１８に当接されることによって前記床面１６と前記天井面１８との間に立設され、ガーデニング用品３６が取り付けられる支柱２０、一端が前記支柱２０に連結され、前記床面１６に対して略平行に配設される支持棒２２、および前記支持棒２２に対して荷重を付与する重量部材２４，１１２を備えることを特徴とする、ガーデニング装置１０」である。
【０００８】
この発明では、支柱２０の下端が床面１６に当接され、支柱２０の上端が天井面１８に当接されるので、床面１６と天井面１８との間で支柱２０が突っ張ることになり、その突張力によって支柱２０が支持される。また、支柱２０に連結された支持棒２２に重量部材２４，１１２の荷重がかかるので、この荷重によっても支柱２０が支持される。
【０００９】
請求項２に記載した発明は、請求項１に記載した「ガーデニング装置１０」において、「前記重量部材２４は、水を溜める貯水部９０ａを有しており、前記貯水部９０ａの底部には、前記支持棒２２を通す溝９８が設けられている」ことを特徴とする。
【００１０】
この発明では、貯水部９０ａに注入する水の量によって、支持棒２２に付与する荷重の大きさを調整できる。また、貯水部９０ａに溜められた水を草花の栽培等に利用することもできる。
【００１１】
請求項３に記載した発明は、請求項１に記載した「ガーデニング装置１０」において、「前記重量部材１１２は、前記床面１６を覆う床板部１１４を有しており、前記床板部１１４の下面には、前記支持棒２２に接合される接合部１１６が設けられている」ことを特徴とする。
【００１２】
この発明では、スノコ等の床板部１１４によってベランダ１４等の床面１６を覆うことができ、また、床板部１１４の荷重を支持棒１１８に付与することによって支持棒１１８を固定することができる。
【発明の効果】
【００１３】
請求項１〜３に記載した発明によれば、床面と天井面との間において支柱を突張力によって支持できる。また、支柱に連結された支持棒に重量部材の荷重をかけることによっても支柱を支持できる。したがって、支柱を支持するためにビス等の固定部材を用いる必要はなく、「共有部分」であるベランダにおいても「ガーデニング装置」を自由に設置することができる。また、支柱の突張力と重量部材の荷重とによって支柱を強力に支持できるので、風等による支柱の転倒を防止できる。
【発明を実施するための最良の形態】
【００１４】
図１は、本発明が適用されたガーデニング装置１０の使用状態を示す正面図であり、図２は、使用状態を示す側面図である。ガーデニング装置１０は、図１および図２に示すように、マンション１２のベランダ１４等における床面１６と天井面１８との間に設置されるものであり、２本の支柱２０と、支持棒２２と、重量部材２４と、補強棒２６とによって構成されている。そして、支柱２０に対して植木鉢等のガーデニング用品３６が取り付けられる。
【００１５】
各支柱２０は、図３および図４に示すように、支柱本体２８と、下部アジャスター３０と、上部アジャスター３２と、取付部材３４とによって構成されている。
【００１６】
支柱本体２８（図３、図４）は、平面視略四角形の中空筒状の部材であり、その材質、肉厚および口径等は、下部アジャスター３０および上部アジャスター３２による突張力の反力や、その側面に取り付けられるガーデニング用品３６の荷重等に耐え得るように任意に設定されている。そして、支柱本体２８の下端部および上端部には、蓋体３８が装着されており、蓋体３８の中央部には、ネジ孔４０が形成されている。なお、本実施例における支柱本体２８および蓋体３８は、軽量化のためにアルミニウムを用いて形成されている。
【００１７】
下部アジャスター３０は、図４に示すように、支柱本体２８における下側の蓋体３８（図示省略）に形成されたネジ孔４０（図示省略）に螺合される高さ調整ボルト４２と、高さ調整ボルト４２の下端に取り付けられ、床面１６（図１、図２）に当接される当接部材４４とによって構成されている。
【００１８】
上部アジャスター３２は、図３に示すように、支柱本体２８における上側の蓋体３８に形成されたネジ孔４０に螺合される高さ調整ボルト４６と、高さ調整ボルト４６の上端に取り付けられ、天井面１８（図１、図２）に当接される当接部材４８とによって構成されている。
【００１９】
取付部材３４は、支柱２０に対して支持棒２２、補強棒２６およびガーデニング用品３６等を取り付けるものであり、図３〜図５に示すように、支柱本体２８の側面に固定されたレール５０と、レール５０に対して移動自在に取り付けられた可動部材５２とによって構成されている。なお、１本の支柱２０に対するレール５０の数は適宜変更可能であり、１本のレール５０に対する可動部材５２の数も適宜変更可能である。
【００２０】
レール５０は、図５に示すように、断面略コ状のレール本体５４と、レール本体５４の開口部Ａに互いに対向して設けられた２つの長尺板状の抜止部５６とを有しており、レール本体５４の左右の側面部５４ａおよび５４ｂには、高さ調整用の複数の孔５８が長手方向に間隔を隔てて形成されている。
【００２１】
可動部材５２は、図５に示すように、摺動プレート６０と、係合部材６２と、ストッパー部材６４とによって構成されている。
【００２２】
摺動プレート６０（図５）は、レール５０の内部を長手方向へ摺動する板状部材であり、この摺動プレート６０の表面に、係合部材６２およびストッパー部材６４が一体的に設けられている。つまり、摺動プレート６０は、係合部材６２およびストッパー部材６４を取り付けるための「基板」となるものである。
【００２３】
係合部材６２（図５）は、摺動プレート６０の表面に固定されたブロック状の台座部６６と、台座部６６の表面に一体的に設けられた係合部６８とによって構成されている。台座部６６は、係合部材６２がレール５０の開口部Ａから離脱するのを防止するものであり、台座部６６の横幅は、開口部Ａの幅よりも大きく設定されている。係合部６８（図５）は、支持棒２２の端部が係合される係合孔６８ａを有する平面視略四角形の筒状部であり、係合部６８の横幅は、開口部Ａの幅よりもやや小さく設定されている。そして、台座部６６がレール５０の内部に配設されており、係合部６８がレール５０の開口部Ａから外方へ突出されている。
【００２４】
ストッパー部材６４は、図５および図６に示すように、摺動プレート６０の表面に一体的に設けられたケーシング７０と、ケーシング７０に組み込まれたストッパー機構７２とによって構成されている。ケーシング７０は、ブロック状の台座部７０ａと、台座部７０ａの表面に一体的に設けられた突出部７０ｂとを有しており、台座部７０ａの横幅は、ストッパー部材６４がレール５０の開口部Ａから離脱するのを防止するために、開口部Ａの幅よりも大きく設定されている。また、台座部７０ａの左右の側面には、孔７４ａが形成されており、突出部７０ｂの左右の側面には、孔７４ｂが形成されている。そして、台座部７０ａがレール５０の内部に配設されており、突出部７０ｂがレール５０の開口部Ａから外方へ突出されている。
【００２５】
ストッパー機構７２は、図６に示すように、左右一対のストッパー片７６とバネ部材７８とによって構成されている。各ストッパー片７６は、ベースプレート８０と、ベースプレート８０の一方主面に形成された係止ピン８２と、ベースプレート８０の一方主面に係止ピン８２と平行に形成された操作ピン８４とを備えており、各ストッパー片７６がケーシング７０の内部に近接離間可能に配設されている。そして、各ストッパー片７６の係止ピン８２がケーシング７０の孔７４ａに挿通されるとともに、操作ピン８４がケーシング７０の孔７４ｂに挿通されている。また、左右のストッパー片７６の間には、コイルバネまたは板バネ等のバネ部材７８が配設されており、このバネ部材７８によって、各ストッパー片７６が互いに離間する方向へ付勢されている。
【００２６】
したがって、通常状態では、図６（Ａ）に示すように、係止ピン８２が孔７４ａから外方へ大きく突出され、レール５０の孔５８との係合が可能となる。一方、操作ピン８４の先端部をバネ部材７８の付勢に抗して押圧すると、図６（Ｂ）に示すように、係止ピン８２がケーシング７０の内側へ押し込まれ、レール５０の孔５８との係合解除が可能となる。
【００２７】
支持棒２２は、２本の支柱２０間において床面１６に対して略平行に架け渡されるものであり、図７および図８に示すように、断面略コ状の支持棒本体８６と、支持棒本体８６の一端および他端に形成された係止部８８とによって構成されている。係止部８８は、取付部材３４を構成する可動部材５２（図５）における係合部６８に係合されるものであり、係合孔６８ａに挿入される板状の挿入部８８ａと、挿入部８８ａの先端部から略Ｕ状に曲げられた板バネ部８８ｂとを有している。係止部８８の横幅Ｗ（図７）は、係合孔６８ａに対して挿入可能なように、係合孔６８ａの横幅よりも小さく設定されており、係止部８８の最大厚さＴ（図８）は、係合孔６８ａの内面または下端縁に対して当接可能なように、係合孔６８ａの縦幅よりも大きく設定されている。
【００２８】
したがって、係合孔６８ａに係止部８８を挿入すると、板バネ部８８ｂのバネ弾性によって、挿入部８８ａおよび板バネ部８８ｂが係合孔６８ａの内面または下端縁に当接され、これにより、支持棒２２が支柱２０に連結されることになる。
【００２９】
重量部材２４は、支持棒２２に対して荷重を付与するために支持棒２２の上側に配設されるものであり、図９および図１０に示すように、容器９０と、容器９０の下面に形成された脚部９２とを備えている。容器９０は、合成樹脂等のような水密材料によって上面が開放された直方体状に形成されており、容器９０の互いに対向する２つの内側面には、突起９４が形成されている。そして、この突起９４には、透水性を有するシート状または板状の透水部材９６が載置されている。したがって、容器９０の内部空間は、透水部材９６によって上下に二分されることとなり、下側空間が水を溜める貯水部９０ａとなり、上側空間が土を溜める土溜部９０ｂとなる。また、貯水部９０ａの底部には、支持棒２２を通す溝９８が長手方向へ延びて形成されており、貯水部９０ａと土溜部９０ｂとの境界部における容器９０の側壁には、貯水部９０ａの水を溢れ出させるための溢水孔１００が形成されている。
【００３０】
そして、この容器９０の下面に、長尺板状の２つの脚部９２が溝９８を挟んで互いに平行に形成されている。なお、脚部９２には、傾斜した床面１６に対応するために、高さ調整用のアジャスターが取り付けられてもよい。
【００３１】
補強棒２６は、２本の支柱２０間において床面１６に対して略平行に架け渡されるものであり、図７および図８に示した支持棒２２と同様に構成されている。つまり、補強棒２６は、支持棒２２と同様に、断面略コ状の補強棒本体と、補強棒本体の両端部に形成された係止部とによって構成されている。
【００３２】
ガーデニング装置１０を組み立てる際には、図１に示すように、マンション１２のベランダ１４等における床面１６に支柱２０を立て、下部アジャスター３０および上部アジャスター３２の少なくとも一方を回すことによって、それらを床面１６および天井面１８に押し当てる。すると、床面１６と天井面１８との間で支柱２０が突っ張ることになり、その突張力によって支柱２０が支持される。そして、２本の支柱２０間に支持棒２２および補強棒２６を架け渡す。このとき、支持棒２２および補強棒２６の高さは、取付部材３４を構成する可動部材５２を移動させることによって調整可能であり、支持棒２２の高さは、溝９８の上面（底面）高さとほぼ同じ高さとなるように設定される。
【００３３】
支持棒２２および補強棒２６を架け渡した後は、支持棒２２の上に重量部材２４を配設し、重量部材２４における溝９８の上面（底面）を支持棒２２の上面に当接させる。そして、重量部材２４の貯水部９０ａに水を注入するとともに、土溜部９０ｂに土を入れ、この土に草花等を植え付ける。また、必要に応じて、支柱２０に対してガーデニング用品３６を取り付ける。
【００３４】
ガーデニング用品３６は、図１１に示すように、土を収容する容器３６ａを有しており、容器３６ａの背面には、係合部６８に係合される係止部３６ｂが設けられている。この係止部３６ｂは、支持棒２２の係止部８８（図７、図８）と同様に、係合孔６８ａへ挿入可能なように構成されている。ガーデニング用品３６を取り付けるための可動部材５２においては、図１２に示すように、摺動プレート６０にブロック状の当接部材１１０を設け、この当接部材１１０にガーデニング用品３６の背面を当接させることによって、ガーデニング用品３６の傾きを防止するようにしてもよい。
【００３５】
なお、上述の実施例では、重量部材２４における容器９０（図９、図１０）の内部空間を貯水部９０ａと土溜部９０ｂとに分割しているが、溢水孔１００に栓を装着することによって、内部空間の全体を貯水部９０ａまたは土溜部９０ｂとして用いるようにしてもよい。
【００３６】
また、取付部材３４においては、図１３に示すように、可動部材５２の摺動プレート６０に固定部材１０２を設けるようにしてもよい。固定部材１０２は、レール５０の内部に配設される台座部１０４と、レール５０における抜止部５６の外面に配設される挟持板１０６と、固定ボルト１０８とを備えており、台座部１０４には、固定ボルト１０８が螺合されるネジ穴１０４ａが形成されており、挟持板１０６には、固定ボルト１０８が挿通される孔１０６ａが形成されている。そして、使用時には、挟持板１０６の孔１０６ａに挿通された固定ボルト１０８が台座部１０４のネジ穴１０４ａに螺合され、固定ボルト１０８を強くねじ込むことによって、可動部材５２がレール５０に固定される。
【００３７】
また、「プランター」として機能する上述の重量部材２４（図９、図１０）に代えて、図１４および図１５に示すような「床材」として機能する重量部材１１２を用いるようにしてもよいし、その他、「テーブル」または「椅子」等として機能する重量部材（図示省略）を用いるようにしてもよい。
【００３８】
重量部材１１２は、図１４および図１５に示すように、床板部１１４と、床板部１１４の下面に設けられた接合部１１６とによって構成されている。床板部１１４は、床面１６を覆う板状の部材であり、この実施例では、複数の板材１１４ａを互いに平行に配設することによってスノコ状に構成されている。そして、床板部１１４の下面における幅方向両端部には、支持棒１１８に接合される接合部１１６が設けられている。接合部１１６の形状は、特に限定されるものではないが、この実施例では、断面略Ｌ状の棒状であり、接合部１１６の上面に床板部１１４がビス等の固定部材（図示省略）によって接合されている。
【００３９】
このような重量部材１１２を用いる場合には、図１５および図１６に示すように、２本の支持棒１１８が互いに平行に配設され、これらの支持棒１１８の間に重量部材１１２が架け渡される。支持棒１１８は、断面略四角形の支持棒本体１１９と、支持棒本体１１９の一端に形成された係止部１２０とを備えており、支持棒本体１１９の下面には、アジャスター１２２ａを有する脚部１２２が取り付けられている。そして、係止部１２０は、支持棒２２の係止部８８（図７、図８）と同様に、係合孔６８ａへ挿入可能なように構成されており、係止部１２０を係合孔６８ａへ挿入することによって、支持棒１１８の一端が支柱２０に連結される。また、支持棒１１８の他端には、必要に応じて連結棒１２４（図１６）が連結される。つまり、支持棒１１８の他端に連結棒１２４の一端が嵌合され、その嵌合部において両者がボルト・ナット１２６によって接合される。
【００４０】
なお、重量部材１１２を単独で用いる場合には、図１７に示すように、床板部１１４の接合部１１６を越えた部分の長さＬは任意でよいが、複数の重量部材１１２を連ねて用いる場合には、図１８に示すように、長さＬは、支持棒１１８の幅方向中央部において床板部１１４どうしが当接する程度に設定されることになる。
【００４１】
そして、複数の重量部材１１２を連ねて用いる場合には、図１９および図２０に示すように、支持棒本体１１９の上面に当接板１１８ａを形成し、当接板１１８ａの上端部に押さえ板１１８ｂを回動自在に取り付け、押さえ板１１８ｂと重量部材１１２の床板部１１４とをビス等の固定部材１２８で接合するようにしてもよい。
【００４２】
また、床面を覆う重量部材１１２等を用いる場合には、図２１に示すような下部アジャスター１３０を採用し、この下部アジャスター１３０に連結部材１３２を介して支持棒２２を連結するようにしてもよい。
【００４３】
下部アジャスター１３０は、上下両端部に雌ネジ部１３４ａおよび１３４ｂを有するターンバックル１３４と、上側の雌ネジ部１３４ａに螺合された上側ボルト１３６ａと、下側の雌ネジ部１３４ｂに螺合された下側ボルト１３６ｂと、下側ボルト１３６ｂの下端に取り付けられた当接部材１３８とによって構成されている。一方、連結部材１３２は、下側ボルト１３６ｂが螺合される雌ネジ部１４０と、支持棒２２の端部が係合される係合孔を有する係合部１４２とによって構成されている。そして、支柱２０を組み立てる際には、上側ボルト１３６ａの上端が支柱本体２８の下端に固定され、下側ボルト１３６ｂに連結部材１３２の雌ネジ部１４０が螺合され、この連結部材１３２が、下側ボルト１３６ｂに螺合された２つの固定ナット１４４によって上下方向から挟持される。また、下部アジャスター１３０の周囲には、これを隠すためのカバー１４６が必要に応じて着脱自在に取り付けられる。
【００４４】
このように、下部アジャスター１３０および連結部材１３２を用いて連結部を構成すると、支持棒２２および重量部材１１２よりも上方にあるターンバックル１３４を回転操作することによって、支柱２０の突張力を簡単に調整することができる。
【００４５】
さらに、支柱２０には、図２２に示すように、各種のガーデニング用品を取り付けるための「ネット１４８」を取り付けるようにしてもよいし、その他、「すだれ」や「フェンス」等を取り付けるようにしてもよい。この場合には、「ネット」、「すだれ」または「フェンス」等に設けられた係止部１４８ａの数に応じた数の可動部材５２がレール５０に装着されることになる。
【図面の簡単な説明】
【００４６】
【図１】ガーデニング装置の使用状態を示す正面図
【図２】ガーデニング装置の使用状態を示す側面図
【図３】支柱の上端部を示す拡大斜視図
【図４】支柱の下端部を示す拡大斜視図
【図５】取付部材を示す分解斜視図
【図６】ストッパー部材を示す断面図
【図７】支持棒を示す斜視図
【図８】支持棒と支柱との連結構造を示す断面図
【図９】重量部材を示す斜視図
【図１０】図９におけるＸ−Ｘ線断面図
【図１１】係合部にガーデニング用品を取り付けた状態を示す側面図
【図１２】他の取付部材（当接部材有り）の使用状態を示す側面図
【図１３】他の取付部材（固定部材有り）を示す分解斜視図
【図１４】他の重量部材（床板部有り）を示す斜視図
【図１５】他の重量部材（床板部有り）の使用状態を示す平面図
【図１６】図１５の重量部材に適用される支持棒等を示す斜視図
【図１７】図１５の重量部材の支持構造（単独使用）を示す断面図
【図１８】図１５の重量部材の他の支持構造（連続使用）を示す断面図
【図１９】図１８の支持構造の変形例を示す断面図
【図２０】図１９の支持構造を示す斜視図
【図２１】支柱に対する支持棒の他の連結構造を示す正面図
【図２２】支柱にネットを取り付けた状態を示す正面図
【符号の説明】
【００４７】
１０…  ガーデニング装置
１６…  床面
１８…  天井面
２０…  支柱
２２，１１８…  支持棒
２４，１１２…  重量部材
３４…  取付部材
３６…  ガーデニング用品
５０…  レール
５２…  可動部材
５６…  抜止部
５８…  孔
６０…  摺動プレート
６２…  係合部材
６４…  ストッパー部材
６８…  係合部
６８ａ…  係合孔
７０…  ケーシング
７２…  ストッパー機構
８８…  係止部
９０…  容器
９０ａ…  貯水部
９０ｂ…  土溜部
９６…  透水部材
９８…  溝
１１４…  床板部
１１６…  接合部
【図１】
2007244272.tif 000003
【図２】
2007244272.tif 000004
【図３】
2007244272.tif 000005
【図４】
2007244272.tif 000006
【図５】
2007244272.tif 000007
【図６】
2007244272.tif 000008
【図７】
2007244272.tif 000009
【図８】
2007244272.tif 000010
【図９】
2007244272.tif 000011
【図１０】
2007244272.tif 000012
【図１１】
2007244272.tif 000013
【図１２】
2007244272.tif 000014
【図１３】
2007244272.tif 000015
【図１４】
2007244272.tif 000016
【図１５】
2007244272.tif 000017
【図１６】
2007244272.tif 000018
【図１７】
2007244272.tif 000019
【図１８】
2007244272.tif 000020
【図１９】
2007244272.tif 000021
【図２０】
2007244272.tif 000022
【図２１】
2007244272.tif 000023
【図２２】
2007244272.tif 000024